(57)【要約】【課題】小型化、低コスト化及び操作性向上が図られつつ、半画角４０°程度に広角化され、変倍比（ズーム比）が２倍程度のズームレンズ系を得る。【解決手段】物体側から順に、負のパワーを有する第１レンズと、正のパワーを有する第２レンズと、正のパワーを有する第３レンズとの３枚のレンズから構成され、短焦点距離端から長焦点距離端へのズーミングに際し、第１レンズを固定しつつ第２レンズ及び第３レンズを光軸に沿って移動させ、さらに第２レンズの移動方向を像側から物体側に進む方向としたズームレンズ系。【選択図】  図１
2005156948.tif 000002
【特許請求の範囲】
【請求項１】
物体側から順に、負のパワーを有する第１レンズと、正のパワーを有する第２レンズと、正のパワーを有する第３レンズとの３枚のレンズから構成されたズームレンズ系において、
短焦点距離端から長焦点距離端へのズーミングに際し、前記第１レンズを固定しつつ前記第２レンズ及び前記第３レンズを光軸方向に沿って移動させ、さらに前記第２レンズの移動方向を像側から物体側に進む方向としたことを特徴とするズームレンズ系。
【請求項２】
請求項１記載のズームレンズ系において、次の条件式（１）を満たすズームレンズ系。
（１）０．８＜（ｄ23W−ｄ23T）／ｆW＜１．５
但し、
ｆW：短焦点距離端における全系の焦点距離、
ｄ23W：短焦点距離端における第２レンズと第３レンズの間隔、
ｄ23T：長焦点距離端における第２レンズと第３レンズの間隔。
【請求項３】
請求項１又は２記載のズームレンズ系において、次の条件式（２）を満たすズームレンズ系。
（２）０．６＜ｆW／ｆ2＜１．２
但し、
ｆ2：第２レンズの焦点距離。
【請求項４】
請求項１ないし３のいずれか一項に記載のズームレンズ系において、次の条件式（３）を満たすズームレンズ系。
（３）−１５＜Ｒ１L1／ｆW＜−２
但し、
Ｒ１L1：第１レンズの物体側の面の曲率半径。
【請求項５】
請求項１ないし４のいずれか一項に記載のズームレンズ系において、次の条件式（４）を満たすズームレンズ系。
（４）１．２＜ｆBW／ｆBT＜３．０
但し、
ｆBW：短焦点距離端におけるバックフォーカス（空気換算）、
ｆBT：長焦点距離端におけるバックフォーカス（空気換算）。
【請求項６】
請求項１ないし５のいずれか一項に記載のズームレンズ系において、次の条件式（５）を満たすズームレンズ系。
（５）０．１＜ｆBW／ｆW＜０．５
【請求項７】
請求項１ないし６のいずれか一項に記載のズームレンズ系において、次の条件式（６）ないし（８）を満たすズームレンズ系。
（６）νd1＞５０
（７）νd2＞５０
（８）νd3＞５０
但し、
νd1：第１レンズのアッベ数、
νd2：第２レンズのアッベ数、
νd3：第３レンズのアッベ数。
【請求項８】
請求項１ないし７のいずれか一項に記載のズームレンズ系において、次の条件式（７’）を満たすズームレンズ系。
（７’）νd2＞６０
【請求項９】
請求項１ないし８のいずれか一項に記載のズームレンズ系において、次の条件式（９）を満たすズームレンズ系。
（９）−０．８＜ｆW／ｆ1＜−０．４
但し、
ｆ1：第１レンズの焦点距離。
【請求項１０】
請求項１ないし９のいずれか一項に記載のズームレンズ系において、次の条件式（１０）を満たすズームレンズ系。
（１０）０．０５＜ｆW／ｆ3＜０．２
但し、
ｆ3：第３レンズの焦点距離。
【発明の詳細な説明】
【技術分野】
【０００１】
本発明は、小型情報端末機に搭載されるズームレンズ系に関する。
【背景技術】
【０００２】
近年では、携帯電話やＰＤＡ等の個人向け小型情報端末機に、小型のカメラモジュールが搭載されるようになってきた。このような小型情報端末機に搭載される光学系は、小型・軽量であることが重要視されている。現状では、単焦点レンズを使用し、画角を変化できるようにデジタルズーム機能を付与しているものが多いが、薄型化した光学式ズームレンズも提案されてきている。光学式ズームレンズとして具体的には、例えば、物体側から順に、負の第１レンズ群と正の第２レンズ群で構成され、第１レンズ群と第２レンズ群が共に光軸上を移動して焦点距離を変えることにより画角を変更するものがある。また、単焦点レンズを複数備え、倍率に応じて使用する単焦点レンズを切り替えるものもある。
【特許文献１】特開平１０−２３２３４９号公報
【特許文献２】特開２００２−５５２７８号公報
【特許文献３】特開２００２−８２２８４号公報
【発明の開示】
【発明が解決しようとする課題】
【０００３】
上述の２群タイプのズームレンズ系は、小型情報端末機器のような携帯性が重視される機器に用いられると、ズーミング時にレンズが前後方へ繰り出すため、操作性が損なわれてしまうという欠点がある。操作性を考慮すれば、ズーミング時にレンズが外方へ繰り出さないインナーズーム方式が望ましい。
【０００４】
一方、上述の倍率に応じて使用する単焦点レンズを切り替える構成では、複数の単焦点レンズを設けるために収納スペースやコストがかかるだけでなく、倍率を変更する毎に使用者が撮影姿勢を変更する必要があって操作性が悪くなるという欠点がある。
【０００５】
本発明は、小型化、低コスト化及び操作性向上が図られつつ、半画角４０°程度に広角化され、変倍比（ズーム比）が２倍程度のズームレンズ系を得ることを目的とする。
【課題を解決するための手段】
【０００６】
本発明は、物体側から順に、負のパワーを有する第１レンズと、正のパワーを有する第２レンズと、正のパワーを有する第３レンズとの３枚のレンズから構成されたズームレンズ系において、短焦点距離端から長焦点距離端へのズーミングに際し、第１レンズを固定しつつ第２レンズ及び第３レンズを光軸に沿って移動させ、さらに第２レンズの移動方向を像側から物体側へ進む方向にしたことを特徴としている。
【０００７】
本発明のズームレンズ系は、次の条件式（１）を満たすことが望ましい。
（１）０．８＜（ｄ23W−ｄ23T）／ｆW＜１．５
但し、
ｆW：短焦点距離端における全系の焦点距離、
ｄ23W：短焦点距離端における第２レンズと第３レンズの間隔、
ｄ23T：長焦点距離端における第２レンズと第３レンズの間隔。
【０００８】
また、次の条件式（２）を満たすことが望ましい。
（２）０．６＜ｆW／ｆ2＜１．２
但し、
ｆ2：第２レンズの焦点距離。
【０００９】
また、次の条件式（３）を満たすことが望ましい。
（３）−１５＜Ｒ１L1／ｆW＜−２
但し、
Ｒ１L1：第１レンズの物体側の面の曲率半径。
【００１０】
また、次の条件式（４）を満たすことが望ましい。
（４）１．２＜ｆBW／ｆBT＜Ｌ３
但し、
ｆBW：短焦点距離端におけるバックフォーカス（空気換算）、
ｆBT：長焦点距離端におけるバックフォーカス（空気換算）。
【００１１】
また、次の条件式（５）を満たすことが望ましい。
（５）０．１＜ｆBW／ｆW＜０．５
【００１２】
また、次の条件式（６）ないし（８）を満たすことが望ましい。
（６）νd1＞５０
（７）νd2＞５０
（８）νd3＞５０
但し、
νd1：第１レンズのアッベ数、
νd2：第２レンズのアッベ数、
νd3：第３レンズのアッベ数。
第２レンズについては、さらに次の条件式（７’）を満たすことが望ましい。
（７’）νd2＞６０
【００１３】
また、次の条件式（９）を満たすことが望ましい。
（９）−０．８＜ｆW／ｆ1＜−０．４
但し、
ｆ1：第１レンズの焦点距離。
【００１４】
また、次の条件式（１０）を満たすことが望ましい。
（１０）０．０５＜ｆW／ｆ3＜０．２
但し、
ｆ3：第３レンズの焦点距離。
【発明の効果】
【００１５】
本発明によれば、物体側から順に負・正・正の３枚構成のズームレンズ系において第１レンズを固定、第２レンズ及び第３レンズを可動としてズーミングを行なうので、ズーミング時にレンズが外方へ繰り出すことがない。すなわち、インナーズームを実現できる。これにより、操作性に優れた、半画角４０°程度に広角化され且つ変倍比が２倍程度のズームレンズ系を得ることができる。また、少ないレンズ枚数で構成されているので、複数の単焦点レンズを切替使用する従来タイプよりも、低コスト化を図ることができ、撮影姿勢の変更なしに操作可能となる。
【発明を実施するための最良の形態】
【００１６】
図１は本発明によるズームレンズ系の構成図である。本ズームレンズ系Ｌは、半画角４０°程度に広角化され且つ変倍比２倍程度のズームレンズ系であり、物体側から順に、負のパワーを有する第１レンズＬ１、正のパワーを有する第２レンズＬ２、及び正のパワーを有する第３レンズＬ３からなる３枚構成である。ズームレンズ系Ｌの後方（像面側）には、撮像素子の前方に位置する赤外カットフィルタ等のカバーガラス（平行平面板）Ｆが配置されている。
【００１７】
第１レンズＬ１は移動不能に支持された固定レンズであり、第２レンズＬ２及び第３レンズＬ３は光軸Ｏ方向に沿って移動自在に支持されている。これら第１レンズＬ１〜第３レンズＬ３は、低コスト化及び軽量化を考慮するとプラスチック製であることが好ましいが、ガラス製であってもよいのは勿論である。
【００１８】
図２に簡易的に示すように、短焦点距離端（ワイド端）から長焦点距離端（テレ端）へのズーミングに際し、第２レンズＬ２は像側から物体側に向かって単調に移動し、第３レンズＬ３は一旦物体側から像側へ移動した後、像側から物体側へと移動する。このように第２レンズＬ２と第３レンズＬ３を移動させることにより、第１レンズＬ１を固定したまま、ズームレンズ系Ｌの焦点距離を連続的に変化させることができる。そして、負・正・正タイプのズームレンズ系Ｌにおいて第１レンズＬ１を固定にすれば、ズーミング時にレンズが外方へ繰り出すことがない。これにより、操作性に優れたズームレンズ系を得ることができる。また３枚という最小限のレンズ枚数で構成されていることから、複数の単焦点レンズを切替使用する従来タイプよりも、低コスト化を図れ、撮影姿勢の変更がいらない。
【００１９】
第２レンズＬ３及び第３レンズＬ３は、短焦点距離端〜長焦点距離端間のどの位置でも停止できるように制御することで、ズームレンズ系Ｌの焦点距離を連続的に（無段階に）変化させることができる。一方、第２レンズＬ２及び第３レンズＬ３の停止位置を複数段の所定位置に定め、ズームレンズＬの焦点距離を段階的に変化させるステップズーム方式とすることも可能である。
【００２０】
条件式（１）は、第２レンズＬ２と第３レンズＬ３の間隔移動量を規定している。条件式（１）の上限を上回ると、第２レンズＬ２及び第３レンズＬ３の移動量が大きくなってズームレンズ系Ｌ全体が大型化してしまう。下限を下回ると第２レンズＬ２及び第３レンズＬ３の移動量が小さすぎて２倍程度の変倍比を確保することが難しい。条件式（１）を満たすことにより、ズームレンズ系Ｌの全長を増大させずに、必要な変倍比を確保することができる。
【００２１】
条件式（２）は、第２レンズＬ２のパワーを規定している。条件式（２）の上限を上回ると、第２レンズＬ２のパワーが大きくなりすぎ、単焦点レンズでの収差補正が難しくなる。条件式（２）の下限を下回ると、第２レンズＬ２の移動量が大きくなりすぎ、ズームレンズ系Ｌが大型化してしまう。この条件式（２）を満たすことにより、第２レンズＬ２の移動量を適切に抑え、ズームレンズ系Ｌの小型化が図れる。
【００２２】
条件式（３）は、第１レンズＬ１の第１面ｒ１の発散性を規定している。条件式（３）の上限を上回ると、第１レンズＬ１の第１面ｒ１の発散効果が小さくなり周辺光量を確保することが難しい。条件式（３）の下限を下回ると、第１レンズＬ１の第１面ｒ１の曲率半径が小さくなりすぎてしまい、レンズ加工が困難になる。この条件式（３）を満たすことにより、ズームレンズ系Ｌを広角化しても、該ズームレンズ系Ｌの前玉径を増大させずに、十分な周辺光量を確保することができる。
【００２３】
条件式（４）は、短焦点距離端（ワイド端）と長焦点距離端（テレ端）のバックフォーカスを規定している。条件式（４）の上限を上回ると、短焦点距離端と長焦点距離端のテレセン（テレセントリック）性が大きく異なり、いずれか一方でテレセン性が悪くなる。条件式（４）の下限を下回ると、第３レンズＬ３の移動量が減りすぎてしまい、小型化に不利である。この条件式（４）を満たすことにより、短焦点距離端と長焦点距離端の両方で良好なテレセン性を確保できると同時に、第３レンズＬ３の移動量を十分に確保してズームレンズ系Ｌを小型化できる。
【００２４】
条件式（５）は、長焦点距離端のバックフォーカスを規定している。条件式（５）の上限を上回ると、第３レンズＬ３の長焦点距離端までの移動量が十分にとれず、ズームレンズ系Ｌが大型化してしまう。条件式（５）の下限を下回ると、長焦点距離端でテレセン性を確保することが難しい。この条件式（５）を満たすことにより、長焦点距離端でのテレセン性を良好に確保できると同時に、第３レンズＬ３の移動量を確保してズームレンズ系Ｌの小型化に貢献できる。
【００２５】
条件式（６）ないし（８）は、第１レンズＬ１、第２レンズＬ２及び第３レンズＬ３のアッベ数をそれぞれ規定している。本ズームレンズＬは単レンズ３枚による３枚ズーム構成であるから、各レンズ単体に色収差が発生しないことが好ましい。条件式（６）ないし（８）の下限以下であると、特に長焦点距離端での色補正ができなくなる。
【００２６】
条件式（７’）は、第２レンズＬ２のアッベ数をさらに厳しく規定したものである。第２レンズＬ２は、レンズ移動量が第１レンズＬ１及び第３レンズＬ３よりも大きいため、アッベ数も第１レンズＬ１及び第３レンズＬ３より大きいことがより望ましい。
【００２７】
条件式（９）は第１レンズＬ１のパワーを規定している。条件式（９）の上限を上回ると、ペッツバール和が大きくなり、像面湾曲が増大する。条件式（９）の下限を下回ると、第１レンズＬ１のパワーが強くなりすぎ、第１レンズＬ１単独で発生する諸収差を少ない構成枚数で補正することが難しくなる。条件式（９）を満たすことにより、像面湾曲とその他の諸収差とのバランスをとることができる。
【００２８】
条件式（１０）は第３レンズＬ３のパワーを規定している。条件式（１０）の上限を上回ると、第３レンズＬ３のパワーが強くなりすぎ、第３レンズＬ３単独で発生する諸収差を少ない構成枚数で補正することが難しくなる。条件式（１０）の下限を下回ると、第３レンズＬ３のパワーが弱く、変倍時に移動量が増大するため、小型化に不利になる。条件式（１０）を満たすことにより、第３レンズＬ３の移動量を適切に抑え、ズームレンズ系Ｌの小型化が図れる。
【００２９】
次に具体的な数値実施例を示す。いずれの実施例のズームレンズ系Ｌも、物体側から順に、負の第１レンズＬ１（面Ｎｏ．１、２）と、絞りＳと、正の第２レンズＬ２（面Ｎｏ.３、４）と、正の第３レンズＬ３（面Ｎｏ．５、６）とから構成されている。ズームレンズ系Ｌの後方には、カバーガラス（平行平面板Ｆ（面Ｎｏ．７、８）が配置されている。諸収差図中、球面収差で表される色収差（軸上色収差）図及び倍率色収差図中のｄ線、ｇ線、Ｃ線はそれぞれの波長に対する収差であり、Ｓはサジタル、Ｍはメリディオナルである。また、表中のＦNO.はズームレンズ系のＦナンバー、ｆWは短焦点距離端における全系の焦点距離、ｆTは長焦点距離端における全系の焦点距離、ｆBWは短焦点距離端のバックフォーカス（空気換算）、ｆBTは長焦点距離端のバックフォーカス（空気換算）、ｆ1は第１レンズの焦点距離、ｆ2は第２レンズの焦点距離、ｆ3は第３レンズの焦点距離、Ｗは半画角（°）、ｒは曲率半径、ｄはレンズ厚、ｎは屈折率、νはアッベ数を示す。
回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【実施例１】
【００３０】
図３〜図５は本発明によるズームレンズ系の第１実施例を示している。図３はレンズ構成図、図４は短焦点距離端における諸収差図、図５は長焦点距離端における諸収差図、表１はその数値データである。ＦNO.、Ｗの値と第２面、第４面及び第６面のｄの値は、短焦点距離端−長焦点距離端の順に示している。絞りＳは、短焦点距離端のとき第２面の後方2.81ｍｍの位置、長焦点距離端のとき第２面の後方0.70ｍｍの位置にそれぞれある。
【００３１】
（表１）
ＦNO.＝ 1:2.8  -  3.8
ｆW＝  3.20
ｆT＝  6.00
ｆBW＝ 0.00
ｆBT＝ 0.00
ｆ1＝ -5.13
ｆ2＝  3.43
ｆ3＝ 25.95
Ｗ ＝ 37.9  -  19.0
面No.      ｒ           ｄ            Ｎｄ       νｄ
1*   -12.149        1.00        1.49176     57.4
2      3.273     2.81 - 0.70       -         -
3*     1.943        1.77        1.48749     70.2
4*    -8.390     1.20 - 4.84       -         - 
5*    28.031        1.00        1.49176     57.4
6*   -23.146     2.05 - 0.52       -         -
7       ∞          0.80        1.51633     64.1
8       ∞            -            -         -
*は回転対称非球面。
非球面データ（表示していない非球面係数は0.00である。）：
面Ｎｏ． Ｋ         Ａ４            Ａ６            Ａ８
1   0.00   0.80890×10-3    0.18554×10-3   -0.25309×10-4
3   0.00  -0.88931×10-2    0.22701×10-2          -
4   0.00   0.19638×10-1          -          0.81377×10-2
5   0.00  -0.64072×10-2          -         -0.48617×10-3
6   0.00   0.19293×10-1          -         -0.60999×10-3
【実施例２】
【００３２】
図６〜図８は本発明によるズームレンズ系の第２実施例を示している。図６はレンズ構成図、図７は短焦点距離端における諸収差図、図８は長焦点距離端における諸収差図、表２はその数値データである。ＦNO.、Ｗの値と第２面、第４面及び第６面のｄの値は、短焦点距離端−長焦点距離端の順に示している。絞りＳは、短焦点距離端のとき第２面の後方3.15ｍｍの位置、長焦点距離端のとき第２面の後方0.80ｍｍの位置にそれぞれある。
【００３３】
（表２）
ＦNO.＝ 1:2.8  -  4.0
ｆW＝  3.00
ｆT＝  6.00
ｆBW＝ 0.00
ｆBT＝ 0.00
ｆ1＝ -5.29
ｆ2＝  3.53
ｆ3＝ 17.15
Ｗ ＝ 39.8  -  19.0
面No.      ｒ           ｄ            Ｎｄ       νｄ
1*   -15.418        1.00        1.51633     64.1
2      3.392     3.15 - 0.80       -         -
3*     1.925        2.10        1.48749     70.2
4*   -10.515     0.93 - 4.83       -         - 
5*    36.745        1.00        1.51633     64.1
6*   -11.561     2.02 - 0.46       -         - 
7       ∞          0.80        1.51633     64.1
8       ∞            -            -         -
*は回転対称非球面。
非球面データ（表示していない非球面係数は0.00である。）：
面Ｎｏ． Ｋ         Ａ４            Ａ６            Ａ８
1   0.00   0.89531×10-3    0.18897×10-3   -0.19631×10-4
3   0.00  -0.89456×10-2    0.58296×10-4          -
4   0.00   0.20873×10-1          -          0.67586×10-2
5   0.00  -0.36619×10-2          -         -0.30000×10-3
6   0.00   0.19001×10-1          -         -0.46000×10-3
【実施例３】
【００３４】
図９〜図１１は本発明によるズームレンズ系の第３実施例を示している。図９はレンズ構成図、図１０は短焦点距離端における諸収差図、図１１は長焦点距離端における諸収差図、表３はその数値データである。ＦNO.、Ｗの値と第２面、第４面及び第６面のｄの値は、短焦点距離端−長焦点距離端の順に示している。絞りＳは、短焦点距離端のとき第２面の後方3.69ｍｍの位置、長焦点距離端のとき第２面の後方0.70ｍｍの位置にそれぞれある。
【００３５】
（表３）
ＦNO.＝ 1:2.8  -  4.3
ｆW＝  3.00
ｆT＝  7.00
ｆBW＝ 0.00
ｆBT＝ 0.00
ｆ1＝ -5.36
ｆ2＝  3.64
ｆ3＝ 19.58
Ｗ ＝ 39.8  -  16.4
面No.      ｒ           ｄ            Ｎｄ       νｄ
1*   -21.718        1.00        1.61800     63.4
2      3.977     3.69 - 0.70       -         -
3*     1.939        1.83        1.48749     70.2
4*   -14.602     1.22 - 5.88       -         - 
5*  -154.228        1.00        1.61800     63.4
6*   -11.248     2.11 - 0.43       -         -  
7       ∞          0.80        1.51633     64.1
8       ∞            -            -         -
*は回転対称非球面。
非球面データ（表示していない非球面係数は0.00である。）：
面Ｎｏ． Ｋ         Ａ４            Ａ６            Ａ８
1   0.00   0.46683×10-3    0.14951×10-3   -0.16082×10-4
3   0.00  -0.67578×10-2    0.14410×10-2          -
4   0.00   0.23576×10-1          -          0.82065×10-2
5   0.00  -0.18860×10-2          -         -0.30000×10-3
6   0.00   0.17506×10-1          -         -0.46000×10-3
【００３６】
各条件式の各実施例に対する値を表４に示す。
（表４）
実施例１      実施例２      実施例３
条件式（１）     1.14         1.21          1.21
条件式（２）     0.93         0.85          0.82
条件式（３）    -3.80        -5.14         -7.24
条件式（４）     2.47         2.57          2.74
条件式（５）     0.33         0.33          0.32
条件式（６）    57.5         64.2          63.4
条件式（７）    70.2         70.2          70.2
条件式（８）    57.5         64.2          63.4
条件式（７’）  70.2         70.2          70.2
条件式（９）    -0.62        -0.57         -0.56
条件式（１０）   0.12         0.17          0.15
【００３７】
表４からも明らかなように、実施例１ないし実施例３は条件式（１）〜条件式（１０）及び条件式（７’）を満足しており、かつ収差図に示すように各焦点距離での諸収差もよく補正されている。
【図面の簡単な説明】
【００３８】
【図１】本発明によるズームレンズ系の構成図である。
【図２】同ズームレンズ系のズーミングにおける簡易移動図である。
【図３】第１実施例におけるレンズ構成図である。
【図４】同第１実施例におけるズームレンズ系の短焦点距離端における諸収差図である。
【図５】同第１実施例におけるズームレンズ系の長焦点距離端における諸収差図である。
【図６】第２実施例におけるレンズ構成図である。
【図７】同第２実施例におけるズームレンズ系の短焦点距離端における諸収差図である。
【図８】同第２実施例におけるズームレンズ系の長焦点距離端における諸収差図である。
【図９】第３実施例におけるレンズ構成図である。
【図１０】同第３実施例におけるズームレンズ系の短焦点距離端における諸収差図である。
【図１１】同第３実施例におけるズームレンズ系の長焦点距離端における諸収差図である。
【符号の説明】
【００３９】
Ｌ  ズームレンズ系
Ｌ１  第１レンズ
Ｌ２  第２レンズ
Ｌ３  第３レンズ
Ｆ  カバーガラス（平行平面板）
【図１】
2005156948.tif 000003
【図２】
2005156948.tif 000004
【図３】
2005156948.tif 000005
【図４】
2005156948.tif 000006
【図５】
2005156948.tif 000007
【図６】
2005156948.tif 000008
【図７】
2005156948.tif 000009
【図８】
2005156948.tif 000010
【図９】
2005156948.tif 000011
【図１０】
2005156948.tif 000012
【図１１】
2005156948.tif 000013
【手続補正書】
【提出日】平成17年1月24日(2005.1.24)
【手続補正１】
【補正対象書類名】特許請求の範囲
【補正対象項目名】請求項３
【補正方法】変更
【補正の内容】
【請求項３】
請求項１又は２記載のズームレンズ系において、次の条件式（２）を満たすズームレンズ系。
（２）０．６＜ｆW／ｆ2＜１．２
但し、
ｆW：短焦点距離端における全系の焦点距離、
ｆ2：第２レンズの焦点距離。
【手続補正２】
【補正対象書類名】特許請求の範囲
【補正対象項目名】請求項４
【補正方法】変更
【補正の内容】
【請求項４】
請求項１ないし３のいずれか一項に記載のズームレンズ系において、次の条件式（３）を満たすズームレンズ系。
（３）−１５＜Ｒ１L1／ｆW＜−２
但し、
Ｒ１L1：第１レンズの物体側の面の曲率半径、
ｆW：短焦点距離端における全系の焦点距離。
【手続補正３】
【補正対象書類名】特許請求の範囲
【補正対象項目名】請求項６
【補正方法】変更
【補正の内容】
【請求項６】
請求項１ないし５のいずれか一項に記載のズームレンズ系において、次の条件式（５）を満たすズームレンズ系。
（５）０．１＜ｆBT／ｆW＜０．５
ｆBT：長焦点距離端におけるバックフォーカス（空気換算）、
ｆW：短焦点距離端における全系の焦点距離。
【手続補正４】
【補正対象書類名】特許請求の範囲
【補正対象項目名】請求項９
【補正方法】変更
【補正の内容】
【請求項９】
請求項１ないし８のいずれか一項に記載のズームレンズ系において、次の条件式（９）を満たすズームレンズ系。
（９）−０．８＜ｆW／ｆ1＜−０．４
但し、
ｆW：短焦点距離端における全系の焦点距離、
ｆ1：第１レンズの焦点距離。
【手続補正５】
【補正対象書類名】特許請求の範囲
【補正対象項目名】請求項１０
【補正方法】変更
【補正の内容】
【請求項１０】
請求項１ないし９のいずれか一項に記載のズームレンズ系において、次の条件式（１０）を満たすズームレンズ系。
（１０）０．０５＜ｆW／ｆ3＜０．２
但し、
ｆW：短焦点距離端における全系の焦点距離、
ｆ3：第３レンズの焦点距離。
【手続補正６】
【補正対象書類名】明細書
【補正対象項目名】００１１
【補正方法】変更
【補正の内容】
【００１１】
また、次の条件式（５）を満たすことが望ましい。
（５）０．１＜ｆBT／ｆW＜０．５
【手続補正７】
【補正対象書類名】明細書
【補正対象項目名】００２１
【補正方法】変更
【補正の内容】
【００２１】
条件式（２）は、第２レンズＬ２のパワーを規定している。条件式（２）の上限を上回ると、第２レンズＬ２のパワーが大きくなりすぎ、第２レンズＬ２内で発生する収差の補正が難しくなる。条件式（２）の下限を下回ると、第２レンズＬ２の移動量が大きくなりすぎ、ズームレンズ系Ｌが大型化してしまう。この条件式（２）を満たすことにより、第２レンズＬ２の移動量を適切に抑え、ズームレンズ系Ｌの小型化が図れる。
【手続補正８】
【補正対象書類名】明細書
【補正対象項目名】００３１
【補正方法】変更
【補正の内容】
【００３１】
（表１）
ＦNO.＝  1:2.8 - 3.8
ｆW＝  3.20
ｆT＝  6.00
ｆBW＝  2.05 + 0.8 / 1.51633 = 2.58
ｆBT＝  0.52 + 0.8 / 1.51633 = 1.05
ｆ1＝  -5.13
ｆ2＝  3.43
ｆ3＝  25.95
Ｗ ＝  37.9 - 19.0
面No.          ｒ           ｄ                Ｎｄ        νｄ
1*      -12.149         1.00            1.49176       57.4
2         3.273       2.81 - 0.70          -           -
3*        1.943         1.77            1.48749       70.2
4*       -8.390      1.20 - 4.84           -           -
5*       28.031         1.00            1.49176       57.4
6*       -23.146      2.05 - 0.52          -           -
7          ∞           0.80            1.51633       64.1
8          ∞             -                -           -
*は回転対称非球面。
非球面データ（表示していない非球面係数は0.00である。）：
面Ｎｏ        Ｋ          Ａ４                Ａ６             Ａ８
1      0.00    0.80890×10-3      0.18554×10-3     -0.25309×10-4
3      0.00   -0.88931×10-2      0.22701×10-2            -
4      0.00    0.19638×10-1              -          0.81377×10-2
5      0.00   -0.64072×10-2              -         -0.48617×10-3
6      0.00    0.19293×10-1              -         -0.60999×10-3
【手続補正９】
【補正対象書類名】明細書
【補正対象項目名】００３３
【補正方法】変更
【補正の内容】
【００３３】
（表２）
ＦNO.＝  1:2.8 - 4.0
ｆW＝  3.00
ｆT＝  6.00
ｆBW＝  2.02 + 0.8 / 1.51633 = 2.55
ｆBT＝  0.46 + 0.8 / 1.51633 = 0.99
ｆ1＝  -5.29
ｆ2＝  3.53
ｆ3＝  17.15
Ｗ ＝  39.8 - 19.0
面No.          ｒ          ｄ             Ｎｄ        νｄ
1*     -15.418        1.00          1.51633        64.1
2        3.392      3.15 - 0.80          -           -
3*       1.925        2.10          1.48749        70.2
4*     -10.515      0.93 - 4.83        -             -
5*      36.745        1.00          1.51633        64.1
6*     -11.561      2.02 - 0.46        -             -
7          ∞         0.80          1.51633        64.1
8          ∞            -             -             -
*は回転対称非球面。
非球面データ（表示していない非球面係数は0.00である。）：
面Ｎｏ.      Ｋ            Ａ４                Ａ６                  Ａ８
1      0.00       0.89531×10-3     0.18897×10-3      -0.19631×10-4
3      0.00      -0.89456×10-2     0.58296×10-4            -
4      0.00       0.20873×10-1               -         0.67586×10-2
5      0.00      -0.36619×10-2               -        -0.30000×10-3
6      0.00       0.19001×10-1               -        -0.46000×10-3
【手続補正１０】
【補正対象書類名】明細書
【補正対象項目名】００３５
【補正方法】変更
【補正の内容】
【００３５】
（表３）
ＦNO.＝  1:2.8 - 4.3
ｆW＝  3.00
ｆT＝  7.00
ｆBW＝  2.11 + 0.8 / 1.51633 = 2.64
ｆBT＝  0.43 + 0.8 / 1.51633 = 0.96
ｆ1＝  -5.36
ｆ2＝  3.64
ｆ3＝  19.58
Ｗ ＝  39.8 - 16.4
面No.          ｒ          ｄ              Ｎｄ       νｄ
1*      -21.718        1.00          1.61800      63.4
2        3.977      3.69 - 0.70         -           -
3*       1.939         1.83          1.48749      70.2
4*      -14.602     1.22 - 5.88          -          -
5*      -154.228       1.00          1.61800      63.4
6*      -11.248     2.11 - 0.43          -          -
7          ∞          0.80          1.51633      64.1
8          ∞           -               -           - 
*は回転対称非球面。
非球面データ（表示していない非球面係数は0.00である。）：
面Ｎｏ.        Ｋ            Ａ４                  Ａ６                Ａ８
1        0.00      0.46683×10-3      0.14951×10-3    -0.16082×10-4
3        0.00     -0.67578×10-2      0.14410×10-2         -
4        0.00      0.23576×10-1                -       0.82065×10-2
5        0.00     -0.18860×10-2                -      -0.30000×10-3
6        0.00      0.17506×10-1                -      -0.46000×10-3